(57)【要約】【課題】    簡単な構造で安価に製造でき、リラックス効果が得られる開閉装置、および浴室を提供すること。【解決手段】障子１５を開閉するたびに縦框１８がＡＴ材２１に当接し、この当接の衝撃によって浴室１に露出して設けられたＡＴ材２１からマイナスイオンが発生されるので、浴室１内において、マイナスイオンのリラックス効果が得られる。また、マイナスイオン発生材料を含んだＡＴ材２１を開口枠１４の縦枠１３に設けるだけで、マイナスイオンを発生させることができ、障子１５の構造を簡単にしてドア１０を安価に製造することができる。【選択図】  図６
2005200922.tif 000002
【特許請求の範囲】
【請求項１】
特定空間の内外を仕切る位置に設けられた開口枠と、この開口枠内に開閉自在に設けられた開閉部材とを備えた開閉装置であって、
前記開口枠および開閉部材の一方には、当該開閉部材を閉じた際に他方に当接する気密材が前記特定空間に露出して設けられ、この気密材は、前記当接時の衝撃によりマイナスイオンを発生するマイナスイオン発生材料を含んで形成されている開閉装置。
【請求項２】
前記開口枠は、上枠、下枠、および左右の縦枠を有して形成され、前記開閉部材は、前記開口枠に支持されたパネル体から構成されている請求項１に記載の開閉装置。
【請求項３】
前記パネル体は、上框、下框、および左右の縦框を有して形成され、
前記左右の縦框の少なくとも一方には、前記特定空間の内外を連通させる換気経路が設けられ、この換気経路の前記特定空間側開口近傍に前記気密材が設けられている請求項２に記載の開閉装置。
【請求項４】
前記換気経路の内部には、マイナスイオンを発生するマイナスイオン発生部材が設けられている請求項３に記載の開閉装置。
【請求項５】
前記特定空間は、当該空間内の空気を排気する排気装置が設けられた浴室であり、
前記浴室の出入口を構成する請求項１から請求項４のいずれかに記載の開閉装置。
【請求項６】
室内外を仕切る位置に設けられた開口枠と、この開口枠内に開閉自在に支持されたパネル体とを有して構成された出入口を備え、
前記パネル体は、上框、下框、および左右の縦框を有して形成され、
前記左右の縦框の少なくとも一方には、室内外を連通させる換気経路が設けられ、この換気経路の内部にマイナスイオンを発生するマイナスイオン発生部材が設けられている浴室。
【発明の詳細な説明】
【技術分野】
【０００１】
本発明は、開閉装置、および浴室に関し、詳しくは、開口部に開閉自在に設けられるドアや引戸、折戸、各種窓等の開閉装置、およびこの開閉装置で出入り口が構成された浴室に関する。
【背景技術】
【０００２】
従来より、特定空間を内外に仕切る位置に設けられた開口部における開口枠に開閉自在に設けられ、開口部を開放あるいは閉鎖するドア等の開閉装置が知られている。
一方、有害物質を吸着する吸着材が内部に設置されたドア（建具）が提案されている（例えば、特許文献１参照）。
特許文献１に記載されたドアは、その表裏両面に通気口を有しており、ドアの開閉時に、通気口のいずれか一方からドア内部に取り入れた空気が吸着材に沿って流通され、空気中に含まれる有害物質が吸着材に吸着された後に、浄化された空気が他方の通気口からドア外部に排出されるようになっている。また、このドアでは、吸着材として木炭が用いられており、この木炭から発生するマイナスイオンによるリラックス効果が期待できるようになっている。
【０００３】
【特許文献１】特開２００２−７０４４６号公報
【発明の開示】
【発明が解決しようとする課題】
【０００４】
しかしながら、特許文献１に記載のドアでは、開閉時にドア内部に空気を取り入れ、取り入れた空気を流通させ、さらに流通させた空気をドア外部に排出する必要があることから、通気口の構造やドアの内部構造が複雑になるとともに、多くの吸着材が必要となるため、ドアの製造コストが高価になってしまうという問題がある。
【０００５】
本発明の目的は、簡単な構造で安価に製造でき、リラックス効果が得られる開閉装置、および浴室を提供することにある。
【課題を解決するための手段】
【０００６】
本発明の開閉装置は、特定空間の内外を仕切る位置に設けられた開口枠と、この開口枠内に開閉自在に設けられた開閉部材とを備えた開閉装置であって、前記開口枠および開閉部材の一方には、当該開閉部材を閉じた際に他方に当接する気密材が前記特定空間に露出して設けられ、この気密材は、前記当接時の衝撃によりマイナスイオンを発生するマイナスイオン発生材料を含んで形成されていることを特徴とする。
【０００７】
ここで、特定空間としては、密閉性が高い空間である浴室やトイレ等の室内空間、自動車や列車の車内空間などが挙げられる。
このような構成によれば、開閉部材を開閉するたびに当接による衝撃が気密材に加えられ、特定空間に露出して設けられた気密材からマイナスイオンが発生されるので、特定空間内において、マイナスイオンのリラックス効果が得られる。
また、マイナスイオン発生材料を含んだ気密材を開口枠または開閉部材に設けるだけで、マイナスイオンを発生させることができるので、従来のドアのような通気口や空気を流通させるための複雑な構造が必要なく、開閉装置の構造を簡単にすることができる。
さらに、開口枠または開閉部材と気密材との当接による衝撃でマイナスイオンが発生するため、従来のようにドアの内部に多くのマイナスイオン発生材（吸着材）を設置しなくても、リラックス効果を得るために十分な量のマイナスイオンが発生されるので、開閉装置を安価に製造することができる。
【０００８】
この際、本発明の開閉装置では、前記開口枠は、上枠、下枠、および左右の縦枠を有して形成され、前記開閉部材は、前記開口枠に支持されたパネル体から構成されていることが好ましい。
このような構成によれば、開き戸（ドア）や引戸（引違い戸、片引き戸）、折戸、窓等の一般的な建具を構成することができ、このような建具により仕切られた特定空間である室内空間において、マイナスイオンによるリラックス効果を得ることができる。
【０００９】
また、本発明の開閉装置では、前記パネル体は、上框、下框、および左右の縦框を有して形成され、前記左右の縦框の少なくとも一方には、前記特定空間の内外を連通させる換気経路が設けられ、この換気経路の前記特定空間側開口近傍に前記気密材が設けられていることが好ましい。
このような構成によれば、縦框の換気経路の開口近傍に気密材を設けたことで、気密材から発生したマイナスイオンが換気経路から流入する空気によって特定空間内に拡散され、マイナスイオンを特定空間内に効率よく行き渡らせることができる。
【００１０】
この際、本発明の開閉装置では、前記換気経路の内部には、マイナスイオンを発生するマイナスイオン発生部材が設けられていることが好ましい。
このような構成によれば、換気経路内のマイナスイオン発生部材から発生するマイナスイオンが換気経路から流入することで、気密材から発生するマイナスイオンと併せて、より多くのマイナスイオンが特定空間内に発散され、リラックス効果をより高めることができる。
【００１１】
さらに、本発明の開閉装置では、前記特定空間は、当該空間内の空気を排気する排気装置が設けられた浴室であり、前記浴室の出入口を構成することが好ましい。
このような構成によれば、浴室の出入口を上記いずれかの開閉装置で構成することで、上述した効果を有した浴室空間が得られる。また、排気装置により浴室内の空気を排気することで、浴室内に空気の流れが生じるため、気密材から発生されたマイナスイオンが浴室内に拡散されやすくなる。
さらに、出入口が上述した換気経路を有していれば、排気装置から内部の空気を排気することで、換気経路を介して空気が流入するので、マイナスイオンを浴室内に効率よく行き渡らせることができる。
【００１２】
一方、本発明の浴室は、室内外を仕切る位置に設けられた開口枠と、この開口枠内に開閉自在に支持されたパネル体とを有して構成された出入口を備え、前記パネル体は、上框、下框、および左右の縦框を有して形成され、前記左右の縦框の少なくとも一方には、室内外を連通させる換気経路が設けられ、この換気経路の内部にマイナスイオンを発生するマイナスイオン発生部材が設けられていることを特徴とする。
【００１３】
このような構成によれば、前述と同様の作用効果を有した浴室を構成することができる。すなわち、浴室において、マイナスイオンのリラックス効果が得られる。縦框の換気経路内部にマイナスイオン発生部材を設けるだけの簡単な構造で構成できるので、浴室出入口の製造コストを抑制することができる。
ここで、マイナスイオン発生部材としては、常時マイナスイオンを発生する部材でもよく、また、出入口のパネル体を開閉操作した際の振動や衝撃等によってマイナスイオンを発生する部材であってもよい。
【発明を実施するための最良の形態】
【００１４】
以下、本発明の一実施形態を図面に基づいて説明する。
図１は、本実施形態の浴室１の概略構成を示す斜視図である。図２は、浴室１の開閉装置であるドア１０を示す正面図である。図３は、ドア１０の縦断面図であり、図２の矢視III−III線断面図である。図４は、ドア１０の横断面図であり、図２の矢視IV−IV線断面図である。図５は、ドア１０の動作を示す横断面図である。図６は、ドア１０の一部を拡大して示す横断面図である。図７(Ａ)，(Ｂ)は、それぞれドア１０に設けられた気密材（ＡＴ材）２１を示す断面図である。なお、各図においては、主要構成部品の断面を示すハッチングが省略されている。
また、本実施形態では、密閉性の高い特定空間としての浴室１について説明を行うが、特定空間は、浴室１に限らず、トイレであってもよく、また自動車や列車の車内空間であってもよい。さらに、特定空間の内外を仕切る開閉装置としては、開き戸形式のドア１０に限らず、引違い形式や片引き形式の引戸であってもよく、また折戸等であってもよい。
【００１５】
図１において、浴室１は、例えば、内部に浴槽５を有したユニットバスであって、壁２、床３、天井４で四方側面および上下面が囲まれ、密閉性が高い空間になっている。浴室１と隣接する脱衣室等とを仕切る壁２には、浴室１に出入りするための出入口６が設けられており、この出入口６は、開閉装置としてのドア１０で構成されている。また、浴室１の天井４には、浴室１内の空気を排気する排気装置としての換気扇７、およびこの換気扇７に接続された排気ダクト８が設けられており、換気扇７を作動させることで浴室１内の空気を屋外に排出することができるようになっている。そして、換気扇７を作動させた際には、図１に矢印で示すように、ドア１０に設けた換気経路１８Ｃ（後述）を介して脱衣室側から浴室１内に空気が流入するようになっている。
【００１６】
図２〜５において、ドア１０は、それぞれアルミ押出形材製の上枠１１、下枠１２、および左右の縦枠１３を四周枠組みした開口枠１４と、この開口枠１４の内側に開閉自在に支持されたパネル体（開閉部材）としての障子１５とを備えて構成されている。障子１５は、アルミ押出形材製の上框１６、下框１７、および左右の縦框１８を四周框組みした内部に、ガラス製やポリカーボネート製の面材１９を嵌め込んで構成されている。そして、障子１５は、一方の縦框１８近傍に取り付けられたハンドル２０を操作することで、図５に示すように、他方の縦框１８に設けられた回動軸回りに回動して開閉できるようになっている。
【００１７】
開口枠１４の上枠１１および左右の縦枠１３には、それぞれの見付け方向内方側に向かって突出する突出片１１Ａ，１３Ａが設けられており、これらの突出片１１Ａ，１３Ａには、障子１５の上框１６および縦框１８に当接する気密材（ＡＴ材）２１が保持されている。また、障子１５の下框１７下端縁には、下方に突出して開口枠１４の下枠１２に当接するＡＴ材２２が設けられている。そして、障子１５を閉じた状態において、上框１６および縦框１８がＡＴ材２１に当接し、ＡＴ材２２が下枠１２に当接することで、これらのＡＴ材２１，２２が四周連続し、浴室１の気密性、水密性が確保されるようになっている。
なお、ＡＴ材２１は、開口枠１４の上枠１１および縦枠１３に設けたものに限らず、障子１５の上框１６および縦框１８に取り付け、上枠１１および縦枠１３に当接するように設けたものでもよい。
【００１８】
図６において、障子１５の縦框１８は、浴室側に配置されて面材１９を保持する第１框材１８Ａと、この第１框材１８Ａの脱衣室側に対向して配置された第２框材１８Ｂと、これらの第１および第２の框材１８Ａ，１８Ｂを連結する図示しない連結部材とを有して構成されている。これら第１および第２の框材１８Ａ，１８Ｂは、互いに隙間を有して連結されており、これらの間には、浴室１と脱衣室とを連通させる換気経路１８Ｃが形成されている。この換気経路１８Ｃは、縦框１８の長手方向（上下方向）略全長に渡って設けられており、面材１９近傍に設けられた脱衣室側開口１８Ｄと、縦枠１３に対向する位置に設けられた浴室側開口１８Ｅとを備えている。そして、換気経路１８Ｃは、第１および第２の框材１８Ａ，１８Ｂから見込み方向に突出した複数の水切片１８Ｆ等によって、屈曲した経路となっており、浴室１で使用する水が浴室側開口１８Ｅから入り込んだ場合でも、この水が水切片１８Ｆに邪魔されて脱衣室側に到達しないようになっている。
【００１９】
また、縦枠１３に設けられたＡＴ材２１は、換気経路１８Ｃの浴室側開口１８Ｅ近傍における第２框材１８Ｂの脱衣室側面に当接するようになっている。このＡＴ材２１は、図７に示すように、縦枠１３の突出片１３Ａに保持される被保持部２１Ｂと、縦框１８の第２框材１８Ｂに当接して弾性変形する当接部２１Ａとを備えて形成されている。そして、ＡＴ材２１は、図７(Ａ)に示すように、被保持部２１Ｂが硬質樹脂から、当接部２１Ａが軟質樹脂から二色成形によって成形されたものでもよく、また図７(Ｂ)に示すように、被保持部２１Ｂおよび当接部２１Ａともに軟質樹脂（または硬質樹脂）のみから成形されたものでもよい。
ここで、ＡＴ材２１を形成する樹脂材料としては、各種熱可塑性樹脂や熱可塑性エラストマー等が利用可能である。
【００２０】
ＡＴ材２１を形成する樹脂材料には、木炭や竹炭、トルマリン等のマイナスイオン発生材料が含まれている。これらのマイナスイオン発生材料は、予め粉末状にした木炭等を、成形前の原料樹脂に混ぜ合わせてから、ＡＴ材２１を成形することで、ＡＴ材２１中に含有されるようになっている。このようなマイナスイオン発生材料を含むＡＴ材２１は、当接部２１Ａが浴室１側に露出して設けられ、障子１５の開閉の際に縦框１８が当接することで変形し、この変形時の衝撃によってマイナスイオンを発生するようになっている。
なお、図７(Ａ)のように硬質および軟質の樹脂材料からＡＴ材２１を成形した場合には、軟質樹脂のみにマイナスイオン発生材料を含有させてもよく、また軟質樹脂および硬質樹脂の両方にマイナスイオン発生材料を含有させてもよい。
【００２１】
また、図６に示すように、換気経路１８Ｃの内部における第２框材１８Ｂには、木炭や竹炭、トルマリン等のマイナスイオン発生材料が含まれたシート状のマイナスイオン発生部材２３が貼り付けられている。このマイナスイオン発生部材２３は、縦框１８の見付け方向に沿い、かつ縦框１８の長手方向略全長に渡って換気経路１８Ｃにおける空気の流路上に設けられている。そして、前記換気扇７の作動により脱衣室から浴室１内に向かって空気の流れが発生すると、マイナスイオン発生部材２３から発生したマイナスイオンが空気の流れに乗って浴室１内に流入するようになっている。さらに、換気経路１８Ｃの浴室側開口１８Ｅ近傍に設けられたＡＴ材２１から発生したマイナスイオンも浴室１内に流入するようになっている。
【００２２】
このような本実施形態によれば、以下のような効果がある。
（１）すなわち、障子１５を開閉するたびに縦框１８がＡＴ材２１に当接し、この当接の衝撃によって浴室１に露出して設けられたＡＴ材２１からマイナスイオンが発生し、発生したマイナスイオンが浴室１に発散されるので、浴室１内において、マイナスイオンのリラックス効果が得られる。
【００２３】
（２）また、マイナスイオン発生材料を含んだＡＴ材２１を開口枠１４の縦枠１３に設けるだけで、マイナスイオンを発生させることができるので、従来のドアのような通気口や空気を流通させるための複雑な構造が必要なく、ドア１０および障子１５の構造を簡単にすることができる。
【００２４】
（３）さらに、障子１５の縦框１８とＡＴ材２１との当接による衝撃でマイナスイオンが発生するため、従来のようにドアの内部に多くのマイナスイオン発生材（吸着材）を設置しなくても、リラックス効果を得るために十分な量のマイナスイオンが発生されるので、ドア１０を安価に製造することができる。
【００２５】
（４）また、縦框１８における換気経路１８Ｃの浴室側開口１８Ｅ近傍にＡＴ材２１を設けたことで、ＡＴ材２１から発生したマイナスイオンが換気経路１８Ｃから流入する空気によって浴室１内に拡散され、マイナスイオンを浴室１内に効率よく行き渡らせることができる。
【００２６】
（５）さらに、換気経路１８Ｃ内のマイナスイオン発生部材２３から発生するマイナスイオンが換気経路１８Ｃから浴室１内に流入することで、ＡＴ材２１から発生するマイナスイオンと併せて、より多くのマイナスイオンが浴室１内に発散され、リラックス効果をより高めることができる。
【００２７】
（６）また、換気扇７により浴室１内の空気を排気することで、浴室１内に空気の流れが生じるため、ＡＴ材２１から発生されたマイナスイオンが浴室１内に拡散されやすくなるとともに、換気経路１８Ｃを介して脱衣室から空気が流入するので、マイナスイオンを浴室１内にさらに効率よく行き渡らせることができる。
【００２８】
なお、本発明は、前記各実施形態に限定されるものではなく、本発明の目的を達成できる他の構成等を含み、以下に示すような変形等も本発明に含まれる。
例えば、マイナスイオン発生材料を含有するＡＴ材２１としては、縦枠１３と縦框１８との間に設けられるＡＴ材２１に限らず、上枠１１と上框１６との間に設けられるＡＴ材２１や、下枠１２と下框１７の間に設けられるＡＴ材２２であってもよい。
また、前記実施形態では、縦枠１３のＡＴ材２１に縦框１８が当接する際の衝撃によってＡＴ材２１からマイナスイオンが発生するようになっていたが、これに限らず、例えば、開閉装置を引戸や折戸で構成した場合には、ＡＴ材と上下の框または枠との間の摩擦によってマイナスイオンが発生するように構成してもよい。
【００２９】
また、前記実施形態では、シート状のマイナスイオン発生部材２３を換気経路１８Ｃ内に配置したが、これに限らず、障子１５の開閉に連動して動作するマイナスイオン発生部材を換気経路１８Ｃ内に配置してもよい。障子１５の開閉に連動して動作するマイナスイオン発生部材としては、例えば、振り子状の部材にマイナスイオン発生材料を含有させ、障子１５の開閉時に振り子が振動するように構成されたもの等が採用できる。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本発明の実施形態に係る浴室の概略構成を示す斜視図である。
【図２】前記浴室の開閉装置であるドアを示す正面図である。
【図３】前記ドアの縦断面図であり、図２の矢視III−III線断面図である。
【図４】前記ドアの横断面図であり、図２の矢視IV−IV線断面図である。
【図５】前記ドアの動作を示す横断面図である。
【図６】前記ドアの一部を拡大して示す横断面図である。
【図７】(Ａ)，(Ｂ)は、前記ドアに設けられた気密材を示す断面図である。
【符号の説明】
【００３２】
１…特定空間である浴室、６…出入口、７…排気装置である換気扇、１０…開閉装置であるドア、１１…上枠、１２…下枠、１３…縦枠、１４…開口枠、１５…パネル体（開閉部材）である障子、１６…上框、１７…下框、１８…縦框、１８Ｃ…換気経路、１８Ｄ，１８Ｅ…開口、２１，２２…気密材であるＡＴ材、２３…マイナスイオン発生部材。
【図１】
2005200922.tif 000003
【図２】
2005200922.tif 000004
【図３】
2005200922.tif 000005
【図４】
2005200922.tif 000006
【図５】
2005200922.tif 000007
【図６】
2005200922.tif 000008
【図７】
2005200922.tif 000009